(57)【要約】【目的】たとえ下水管が詰まった場合であっても接合部から水が漏れて床下を浸潤するおそれがなく、臭気もあがってこない密着性の高い排水管接合部材とその構造を提供することを目的とする。【構成】上記課題を達成するために、防臭及び漏水機能を高めるゴム等の弾性を有する軟性部材から成る筒体の開口部にフランジとフランジに向けて広がるテーパー状の外壁を形成し、内壁に左上がり又は右上がりの螺旋状の溝を形成するのである。更に螺旋状蛇腹管から成る上流管に上述の筒体を嵌め込んだ後、バルブソケットのネジ部に嵌合しさらに袋ナットで締め付ける一方、バルブソケットの差込用ソケット部に下流管を取り付けて排水管を接続するのである。【選択図】        図１
0003130730.tif 000002
【実用新案登録請求の範囲】
【請求項１】
開口部にフランジとフランジに向けて広がるテーパー状の外壁を形成すると共に、内壁に左上がり又は右上がりの螺旋状の溝を形成した排水管の接続部に使用する軟性部材から成る筒体。
【請求項２】
螺旋状蛇腹管から成る上流管に嵌め込んだ請求項１記載の軟性部材から成る筒体をバルブソケットのネジ部に嵌挿した後、袋ナットで締め付け、バルブソケットの差込用ソケット部に下流管を取り付けた排水管の接続構造。
【考案の詳細な説明】
【技術分野】
【０００１】
本考案は住宅内の洗い場或いはバスルームやマンションの台所、洗面所、ベランダ或いは防水パン等の床面に取り付けられる排水管設備に関する。特に洗濯機などの排水ホースと床下の排水管を接続連結する排水管の接続構造に関するものである。
【背景技術】
【０００２】
洗濯機等に取り付けた屋内排水ホースはホースジョイントが設けられた排水トラップに接続された後、床下に配設した排水管に排水（汚水）を流し込むように接続されている。
【０００３】
排水ホースと排水管との接続には通常、バルブソケットが用いられるが、バルブソケットの上流側にゴム製のオーリングや下流側に向けてテーパー状に先細りとなるゴム製の部材を嵌合して漏水を防止している。また、排水管の連結部分に接着剤を塗布して接合する場合もある。
【０００４】
また、屋外排水管の接続部の発明として特許文献１がある。この排水管接続部には中央に穴が設けられ、この穴を取り囲むように山が複数周設された断面蛇腹状のゴムキャップが取り付けられている。
【特許文献１】特開平９−２４２１７０号公報
【考案の開示】
【考案が解決しようとする課題】
【０００５】
上流側排水管と下流側排水管の接続部に使用されるゴム製のＯリングは防臭機能は有するが漏水を防ぐことはできない。又、先細りに形成されたゴム製部材を介して取り付けても密着性が高くない場合は臭気や水が接続部から漏れるおそれがある。
【０００６】
さらに、接合部に接着剤を塗布する方法もあるが、施工時に接着剤を塗り忘れたり、不備が生じると充分な水密或い気密な接合状態が確保できない。
【０００７】
又、これらは通常家屋の床下が配管スペースとなっているため配管の漏水の点検や設備良否の検査、点検が容易でなく、知らないうちに床下で漏水しコンクリート面に水溜りができたり土が湿気てじめじめした状態になっている。
【０００８】
特許文献１の排水管接続構造に使用される断面蛇腹状のゴムキャップは高い伸縮を有し、相対移動に対する追随性が良く耐震性機能はあるが漏水防止を目的として形成されたものではない。
【０００９】
そこで、たとえ下水管が詰まった場合であっても接合部から水が漏れて床下を浸潤するおそれがなく、臭気もあがってこない密着性の高い排水管接合部材とその構造を提供することを目的とする。
【課題を解決するための手段】
【００１０】
上記課題を達成するために、防臭及び漏水機能を高めるゴム等の弾性を有する軟性部材から成る筒体の開口部にフランジとフランジに向けて広がるテーパー状の外壁を形成し、内壁に左上がり又は右上がりの螺旋状の溝を形成するのである。
【００１１】
更に螺旋状蛇腹管から成る上流管に上述の筒体を嵌め込んだ後、バルブソケットのネジ部に嵌合しさらに袋ナットで締め付ける一方、バルブソケットの差込用ソケット部に下流管を取り付けて排水管を接続するのである。
【考案の効果】
【００１２】
１．防臭及び漏水防止の軟性部材に排水管の螺旋状の溝に対応する螺旋溝を形成すると共に、フランジとこれに続くテーパー状の外壁を形成したため、排水管に密着すると共に、わずかな隙間から臭気が上ってきてもフランジやテーパー状外壁に遮断されて接合部から臭気や汚水がもれることがない。
２．接合部に接着剤を塗布する必要がないため、施工が容易になり不備も生じない。
３．排水管が詰まって下水（汚水）が逆流しても接合部での漏水は生じない。例えば洗濯機の排水管の場合は洗濯パン内に水が逆流することはあっても、床下での漏水は起こらず、知らない間に床下が湿気て不衛生な状態になっていたり、建物に悪影響を及ぼすことがない。
【考案を実施するための最良の形態】
【００１３】
以下、本考案の実施の形態を図面を参照しながら説明する。
【００１４】
図１が本考案の排水管接合部材を洗濯機用排水構造に使用した状態を示す説明図である。
【００１５】
この図は洗濯機の洗濯パンの下、即ち、床下の排水管接続構造１の一部を破断した正面図である。２が洗濯トラップで上流側に向けて拡開した開口部２ａを持ち、接合部２ｂには外周に複数のネジ溝が形成されている。洗濯トラップ２とフレキシブルパイプ５を接合する継ぎ手３は拡開した上部の内周面３ａに溝を形成して洗濯トラップの接合部２ｂに螺合すると共に、下流側に外筒３ｂと外筒から下方に延出する内筒３ｃとの間隙に螺旋型蛇腹管５の上流端５ａを挟み込む。さらに、洗濯トラップ２と継ぎ手３との間には防臭用Ｏリング４を介在させる。
【００１６】
フレキシブルパイプ５は山形部分と谷形部分とを軸線方向に螺旋状に備えるいわゆる螺旋型蛇腹管である。
【００１７】
フレキシブルパイプ５の下流端５ｂはバルブソケット８に挿入する。バルブソケット８はネジ部８ａと差し込み用ソケット部８ｂを有し、下水管９はソケット部８ｂに嵌合する。
【００１８】
一方、バルブソケットネジ部８ａに請求項１記載の軟性部材から成る筒体であるゴム製パッキン７を嵌合した後、上部から袋ナット６をネジ部８ａに螺合して締め付けるのである。
【００１９】
図２が請求項１に係る軟性部材から成るゴム製パッキン７の拡大断面図である。
【００２０】
軟性部材の素材としては熱可塑性エラストマー又は合成ゴム等がある。
【００２１】
ゴム製パッキン７はフレキシブルパイプ５の外径よりやや小さ目の径を有し、内壁には蛇腹管５に螺旋状に形成された山に嵌合する溝７ａが形成されている。更にバルブソケット８のネジ部８ａの外径とほぼ同径のフランジ部７ｂを有する。また、バルブソケット内側に嵌挿する７ｃからフランジ部７ｂに掛けてはパッキン７の外壁は上方に向かって広がるテーパー形状７ｄを呈している。
【００２２】
当該ゴムパッキン７の溝７ａがフレキシブルパイプ５に螺旋状に形成された山形部分に嵌合密着すると共にバルブソケット８のネジ部先端８ａがフランジ部７ｂに当接したところを袋ナット６で締め付けるため、下水管詰まりによって汚水が逆流しても接合部で悪臭が漏れたり水が漏れたりすることがないのである。
【００２３】
ここで図示したのは内壁に左上がりの溝を形成しているが、右上がりの溝を形成した軟性部材も形成すると蛇腹状排水管の螺旋溝の形に合わせて施工することができる。
【００２４】
また、実施形態として洗濯機の排水管構造を示したが、本考案はこれに限定されるものではなく、考案の思想を逸脱しない範囲で各種の変更、応用が可能である。
【図面の簡単な説明】
【００２５】
【図１】排水管の接続構造を示す一部破断正面図。
【図２】ゴムパッキンの破断正面図。
【符号の説明】
【００２６】
１、床下排水管    ２、洗濯トラップ    ３、継ぎ手    ４、Ｏリング
５、フレキシブルパイプ    ６、袋ナット    ７、ゴムパッキン    ８、バルブソケット
【図１】
0003130730.tif 000003
【図２】
0003130730.tif 000004